(57)【要約】【課題】耐負荷性を高め、構造強度を高めたエアインパクト工具の打撃部の構造を提供する。【解決手段】ハンマーケース６１の両端面における両側の内側壁付近にそれぞれピン孔６５を形成し、ピン孔６５内の相異なる一端にそれぞれ固定ピン６７を挿入し、両ピン孔６５の相異なるもう一端にそれぞれ活動ピン６８を挿入する。ハンマーケース６１内にそれぞれ固定ピン６７と活動ピン６８によって、第一ハンマー７０、第二ハンマー７５を設置する。第一アンビル８６、第二アンビル８７の相対する端面両側にそれぞれ軸に跨って接続された接続リブ８８を形成する。【選択図】  図４
0003105907.tif 000002
【実用新案登録請求の範囲】
【請求項１】
エアインパクト工具の打撃部の構造であり、
前記エアインパクト工具は主に、エアモーターと、打撃部と、伝動軸とによって構成されており、
前記打撃部は、エアモーターの作用によって、正、逆方向に回転し、同時に打撃部は伝動軸を動かし、前記エアモーターはエアシリンダ内にローラーブレードとローターが設けられており、前記ローターからは歯付き軸が伸びており、打撃部は枠状のハンマーケースを具有して構成されており、前記ハンマーケースの両端は歯付き軸と噛合する歯付き孔と伝動軸を挿入する貫通孔が設けられており、
その特徴として、
ハンマーケース両内側壁の中段にはそれぞれ相対するように隔離部材が形成されており、またハンマーケースの両端面における両側の内側壁付近にはそれぞれピン孔が形成されており、ピン孔は半分が内側壁の壁面に入り込んでおり、前記ピン孔は中段の隔離部材を貫通しており、さらにピン孔内の相異なる端部にはそれぞれ固定ピンと活動ピンが挿入されており、
ハンマーケース内にはそれぞれ固定ピンと活動ピンによって、第一ハンマー、第二ハンマーが設置されており、ハンマーケースはそれぞれ固定ピンと活動ピンを利用して第一ハンマー、第二ハンマーを動かすことができ、さらに第一ハンマー、第二ハンマー内にはそれぞれ相異なるハンマー孔が形成されており、
前記伝動軸の一端にはソケットを接続する角ドライブが形成されており、さらに伝動軸のもう一端には噛合段が形成されており、噛合段上には第一ハンマー、第二ハンマーのハンマー孔に対応する第一アンビル、第二アンビルが形成されており、さらに第一アンビル、第二アンビルの相対する端面両側にはそれぞれ軸に跨って接続された接続リブが形成されており、
以上の構造によって、耐負荷性を高め、構造強度に優れるエアインパクト工具の打撃部を構成することができることを特徴とするエアインパクト工具の打撃部の構造。
【考案の詳細な説明】
【技術分野】
【０００１】
本考案はエアインパクト工具の打撃部の強度を高める技術に係り、ハンマーケースの耐負荷性と伝動軸の強度を高めた特殊設計により、公知構造のエアインパクト工具の打撃部における破損し易く、耐負荷性不足という問題を有効的に解決し、エアインパクト工具の使用寿命を長くすることができるエアインパクト工具の打撃部の構造に関わる。
【背景技術】
【０００２】
エアインパクト工具は圧縮空気を利用してエアモーターを回転させる半自動の工具であり、一般のエアインパクト工具は主に図１，２に示すようなものである。前記エアインパクト工具は主にエアモーター上に打撃部を設け、さらに打撃部を利用して伝動軸を作動させ、エアモーターはエアシリンダ内にローターブレードおよびローターが設けられており、ローターからは歯付き軸が伸びており、打撃部と噛合しており、打撃部は枠状のハンマーケースによって構成されており、前記ハンマーケースの両端はそれぞれ歯付き軸を嵌合させ、伝動軸を挿入する歯付き孔と貫通孔を具有しており、さらにハンマーケースの両端面間には両内側壁の位置にピン孔が形成されており、両ピン孔にはそれぞれ対応する長さの棒状のピンが挿入されており、またハンマーケース上には両ピンの作動を受ける第一ハンマー、第二ハンマーが設けられており、さらに第一ハンマー、第二ハンマーには相異なる方向のハンマー孔が形成されており、伝動軸の回転方向を制御し、伝動軸に関して言えば、ソケットを接続する角ドライブを具有すること以外に、伝動軸には第一ハンマー、第二ハンマーのハンマー孔に貫通させる噛合段を具有し、さらに噛合段上にはそれぞれ第一ハンマー、第二ハンマーのハンマー孔に対応する第一アンビル、第二アンビルが形成されており、ハンマーケースは第一ハンマー、第二ハンマーによって伝動軸を駆動する。
【０００３】
上述のエアインパクト工具は主に圧縮空気がエアモーターに進入した後、ローターブレードとローターを通じて打撃部のハンマーケースを正、逆方向へ作動させ、ハンマーケースはピンを利用して第一ハンマー、第二ハンマーを動かし、伝動軸のソケットを正、逆方向へ動かし、ボルトやナットを締緩するものであるが、公知構造のエアインパクト工具においては大きな問題はないが、やはりいくつかの問題がある。
【０００４】
１  耐負荷性不足である。
図３に示すように、ピンがハンマーボックスの両端を貫通しているために、第一ハンマーであろうが、第二ハンマーであろうが、正、逆方向への動作には全てピンを利用して動かす必要があり、それが力を受ける回数や時間は極めて多く、第一ハンマー、第二ハンマーを動かす時、一端が力を受ける状況以外に、半分が外に露出しているために、耐負荷性が不足し、駆動力に限りがある。
２  強度に優れない。
伝動軸の第一アンビル、第二アンビルは第一ハンマー、第二ハンマーからの衝撃を受ける必要があるが、単純にそれぞれの構造だけを利用したものであり、構造強度に不足する。
３  使用寿命が短い。
ピンの耐負荷性が不足し、同時に伝動軸の強度も優れていないために、頻繁にエアインパクト工具の破損をもたらし、使用寿命を短くしてしまう。
【０００５】
上述の説明から分かるように、公知構造によるエアインパクト工具の打撃部における構造の設計は未だ完全ではなく、普遍的に、耐負荷性不足および構造強度が弱い等の問題が存在し、エアインパクト工具の使用寿命を短くするだけではなく、同時に購買、メンテナンスのコストも引き上げており、経済効率へ影響を及ぼしている。
【０００６】
以上のことから、本考案の考案者は、長年の研究開発と製造経験から上述の諸問題を探求し、長期に渡る研究と試作によりついに耐負荷性および構造強度を高め、有効的に使用寿命を長くすることができるエアインパクト工具の打撃部の構造を考案した。
【特許文献１】特開平０９−１９３０４６号公報
【考案の開示】
【考案が解決しようとする課題】
【０００７】
上記公知構造の欠点を解決するために、
耐負荷性を高めたエアインパクト工具の打撃部の構造を提供することを本考案の主な目的とし、それにより適用範囲を広めることができ、購買コストを下げることができる。
【０００８】
構造強度を高めたエアインパクト工具の打撃部の構造を提供することを本考案のもう一つの目的とし、有効的にその構造強度を高め、使用寿命を長くする。
【課題を解決するための手段】
【０００９】
上記課題を解決するために、本考案のエアインパクト工具の打撃部の構造は、請求項１に記載するように、
エアモーターと、打撃部と、伝動軸とによって構成されており、
前記打撃部は、エアモーターの作用によって、正、逆方向に回転し、同時に打撃部は伝動軸を動かし、前記エアモーターはエアシリンダ内にローラーブレードとローターが設けられており、前記ローターからは歯付き軸が伸びており、打撃部は枠状のハンマーケースを具有して構成されており、前記ハンマーケースの両端は歯付き軸と噛合する歯付き孔と伝動軸を挿入する貫通孔が設けられており、
その特徴として、
ハンマーケース両内側壁の中段にはそれぞれ相対するように隔離部材が形成されており、またハンマーケースの両端面における両側の内側壁付近にはそれぞれピン孔が形成されており、ピン孔は半分が内側壁の壁面に入り込んでおり、前記ピン孔は中段の隔離部材を貫通しており、さらにピン孔内の相異なる端部にはそれぞれ固定ピンと活動ピンが挿入されており、
ハンマーケース内にはそれぞれ固定ピンと活動ピンによって、第一ハンマー、第二ハンマーが設置されており、ハンマーケースはそれぞれ固定ピンと活動ピンを利用して第一ハンマー、第二ハンマーを動かすことができ、さらに第一ハンマー、第二ハンマー内にはそれぞれ相異なるハンマー孔が形成されており、
前記伝動軸の一端にはソケットを接続する角ドライブが形成されており、さらに伝動軸のもう一端には噛合段が形成されており、噛合段上には第一ハンマー、第二ハンマーのハンマー孔に対応する第一アンビル、第二アンビルが形成されており、さらに第一アンビル、第二アンビルの相対する端面両側にはそれぞれ軸に跨って接続された接続リブが形成されており、
以上の構造によって、耐負荷性を高め、構造強度に優れるエアインパクト工具の打撃部を構成することができることを特徴とする。
【００１０】
すなわち、本考案のエアインパクト工具の打撃部の構造は、ハンマーケースの両内側壁の中段にそれぞれ相対するように隔離部材を形成し、またハンマーケースの両内側壁に近い両端面にそれぞれ貫通するピン孔を形成し、そのピン孔は半分が内側壁の壁面に入り込んでおり、さらにピン孔は隔離部材を貫通しており、さらに両端の両ピン孔にはそれぞれ固定ピンと活動ピンが設けられており、さらに両ピン孔の固定ピンにはそれぞれ相異なる両端が設けられている。
【００１１】
ハンマーケース内には対応する第一ハンマー、第二ハンマーが設けられており、ハンマーケースはそれぞれ固定ピンと活動ピンを利用することによって第一ハンマー、第二ハンマーを動かし、さらに第一ハンマー、第二ハンマー内にはそれぞれ相異なるハンマー孔が形成されている。
【００１２】
前記伝動軸の一端にはソケットを接続する角ドライブが形成されており、さらに伝動軸のもう一端には噛合段が形成されており、噛合段上には第一ハンマー、第二ハンマーに対応する第一アンビル、第二アンビルが形成されており、さらに第一アンビル、第二アンビルの相対する端面両側にはそれぞれ軸に跨る接続リブが形成されている。
【００１３】
上記構造により、打撃部の耐負荷性と伝動軸の強度を大幅に高めることができ、有効的に使用寿命を長くすることができ、経済効率を向上させることができる。
【００１４】
本考案の構成、特徴、その他の目的を比較的好適な実施例に沿って下記に説明するが、その実施例はただ本考案の比較的好適な実施例を説明するものであり、本考案の範囲を限定するものではなく、ゆえに本考案の精神を基本とした本考案の如何なる修飾や変更も全て本考案に含まれる。
【考案の効果】
【００１５】
本考案により、打撃部の耐負荷性と伝動軸の強度を大幅に高めることができ、有効的に使用寿命を長くすることができ、経済効率を向上させることができた。
【考案を実施するための最良の形態】
【００１６】
本考案は耐負荷性および構造強度を高めたエアインパクト工具の打撃部の構造であり、前記エアインパクト工具は主に、エアモーター５０と、打撃部６０と、伝動軸８０とによって構成されており、前記打撃部６０は、エアモーター５０の作用によって、正、逆方向に回転し、同時に打撃部６０は伝動軸８０を動かし、ボルトやナットを回転させ、前記エアモーター５０はエアシリンダ５１内にローラーブレード５２とローター５５が設けられており、前記ローター５５からは歯付き軸５６が伸びており、打撃部６０は枠状のハンマーケース６１を具有して構成されており、前記ハンマーケース６１の両端は歯付き軸５６と噛合する歯付き孔６２と伝動軸８０を挿入する貫通孔６３が設けられているが、以上の構成および作動原理は公知構造におけるエアインパクト工具の打撃部の構造と同様であり、本考案の特徴を示すものではないのでこれ以上は説明しない。
【００１７】
本考案に関する特徴として、図４，５，６に示すように、ハンマーケース６１両内側壁の中段にはそれぞれ相対するように隔離部材６４が形成されており、またハンマーケース６１の両端面における両側の内側壁付近にはそれぞれピン孔６５が形成されており、ピン孔６５は半分が内側壁の壁面に入り込んでおり、前記ピン孔６５は中段の隔離部材６４を貫通しており、さらにピン孔６５内の相異なる一端にはそれぞれ固定ピン６７が挿入されており、両ピン孔６５の相異なるもう一端にはそれぞれ活動ピン６８が挿入されており、第一ハンマー７０、第二ハンマー７５を組立てるのに便利になっており、固定ピン６７と活動ピン６８はハンマーケース６１の両端面と隔離部材６４の間に嵌入ことができる。
【００１８】
ハンマーケース６１内にはそれぞれ固定ピン６７と活動ピン６８によって、第一ハンマー７０、第二ハンマー７５が設置されており、ハンマーケース６１はそれぞれ固定ピン６７と活動ピン６８によって第一ハンマー７０、第二ハンマー７５を動かすことができ、さらに第一ハンマー７０、第二ハンマー７５内にはそれぞれ相異なるハンマー孔７１，７６が形成されており、正、逆方向へ伝動軸８０を作動させる。
【００１９】
図７に示すように、前記伝動軸８０の一端にはソケットを接続する角ドライブ８１が形成されており、さらに伝動軸８０のもう一端には噛合段８５が形成されており、噛合段８５上には第一ハンマー７０、第二ハンマー７５のハンマー孔７１，７６に対応する第一アンビル８６、第二アンビル８７が形成されており、さらに第一アンビル８６、第二アンビル８７の相対する端面両側にはそれぞれ軸に跨って接続された接続リブ８８が形成されており、有効的に構造強度を高めている。
【００２０】
以上の構造による、耐負荷性が高く、構造強度に優れることを特徴とするエアインパクト工具の打撃部の構造である。
【００２１】
本考案の実際の運用に関しては、図５に示すように、圧縮空気がエアモーター５０に進入した後、ローターブレード５２とローター５５を通じて打撃部６０のハンマーケース６１を正、逆方向へ作動させ、ハンマーケース６１は固定ピン６７と活動ピン６８を利用して第一ハンマー７０、第二ハンマー７５を動かし、伝動軸８０の第一アンビルビル８６、第二アンビル８７を打撃し、伝動軸８０のソケットを正、逆方向へ動かし、ボルトやナットを締緩する目的を達成する。
【００２２】
上述の説明によって、本考案は少なくとも下記のような優れた点、実用価値があることが分かる。
【００２３】
Ａ  耐負荷性が高い。
図５，６に示すように、ハンマーケース６１は固定ピン６７と活動ピン６８とを通じて第一ハンマー７０、第二ハンマー７５を動かすので、エアインパクト工具は、正、逆方向に回転する時、受ける力を分散することができ、力を受ける回数や時間を減少させることができ、さらに固定ピン６７と活動ピン６８が第一ハンマー７０、第二ハンマー７５を動かす時、打撃点に近い両端は安定的に嵌合されているので、全体の耐負荷性は公知構造のものと比べて優れており、有効的にその適用範囲を拡大させることができ、破損するのを減少させるだけでなく、使用者の購買コストを下げることができる。
【００２４】
Ｂ  構造強度に優れる。
伝動軸８０の第一アンビル８６、第二アンビル８７は第一ハンマー７０、第二ハンマー７５からの打撃を受けるが、第一アンビル８６、第二アンビル８７の相対する端縁間は接続リブを具有しているので、大幅にその構造強度を高めることができる。
【００２５】
Ｃ  使用寿命を延ばすことができる。
固定ピン６７と活動ピン６８の耐負荷性が有効的に上がり、同時に伝動軸８０の強度もまた大幅に上がるので、有効的にエアインパクト工具の破損率を減少させることが出来るだけではなく、有効的にその使用寿命を延ばすことができる。
【００２６】
本考案の特殊な設計を通じ、有効的にエアインパクト工具に更なる耐久効果を提供し、さらに本考案は上述のような数々の優れた点や実用価値を具有しているので、本考案は確実に新規性、進歩性を具有する考案であり、同様の技術領域において、未だ同様のもの、似たものは公開されておらず、ゆえに実用新案の要件に符合するものであり、法に基づき申請を行う。
【図面の簡単な説明】
【００２７】
【図１】公知構造のエアインパクト工具における立体分解図である。
【図２】公知構造のエアインパクト工具における断面図である。
【図３】公知構造の打撃部のハンマーケースにおける断面図である。
【図４】本考案における立体分解図である。
【図５】本考案における組立て後の断面図である。
【図６】本考案の打撃部のハンマーケースにおける断面図である。
【図７】本考案の伝動軸の拡大図である。
【符号の説明】
【００２８】
１０    エアモーター
１１    エアシリンダ
１２    ローターブレード
１５    ローター
１６    歯付き軸
２０    打撃部
２１    ハンマーケース
２２    歯付き孔
２３    貫通孔
２４    挿入孔
２５    ピン
２６    第一ハンマー
２７    ハンマー孔
２８    第二ハンマー
２９    ハンマー孔
３０    伝動軸
３１    角ドライブ
３５    噛合段
３６    第一アンビル
３７    第二アンビル
５０    エアモーター
５１    エアシリンダ
５２    ローターブレード
５５    ローター
５６    歯付き軸
６０    打撃部
６１    ハンマーケース
６２    歯付き孔
６３    貫通孔
６４    隔離部材
６５    挿入孔
６７    固定ピン
６８    活動ピン
７０    第一ハンマー
７１    ハンマー孔
７５    第二ハンマー
７６    ハンマー孔
８０    伝動軸
８１    角ドライブ
８５    噛合段
８６    第一アンビル
８７    第二アンビル
８８    接続リブ
【図１】
0003105907.tif 000003
【図２】
0003105907.tif 000004
【図３】
0003105907.tif 000005
【図４】
0003105907.tif 000006
【図５】
0003105907.tif 000007
【図６】
0003105907.tif 000008
【図７】
0003105907.tif 000009